(57)【要約】      （修正有）【課題】高価な精密抵抗器を用いず、安価で高性能な飛行時間型質量分析装置を提供する。【解決手段】リフレクトロン１の電極３に必要な電位を印加するための分圧抵抗器として、固定抵抗器６と可変抵抗器７を直列に接続したものを使用する。【選択図】図２
0003177836.tif 000002
【実用新案登録請求の範囲】
【請求項１】
各電極に必要な電位を印加するための分圧抵抗器として固定抵抗器と可変抵抗器を直列接続したリフレクトロンを搭載したことを特徴とする飛行時間型質量分析装置。
【請求項２】
必要な印加電圧を得るための抵抗値をＲ、前記固定抵抗器の抵抗値をｒ、前記可変抵抗器の抵抗値をｒｖ、抵抗精度を固定抵抗器についてはｔ、可変抵抗器についてはｓとしたとき、ｒがＲ／（１＋ｔ）に等しいか、または小さい市販の標準系列の抵抗値の中から最も大きい抵抗値の固定抵抗器を採用し、ｒｖが（Ｒ−（１−ｔ）ｒ）／（１−ｓ）に等しいか、または大きい市販の可変抵抗器の中から最も小さい抵抗値の可変抵抗器を採用した請求項１の飛行時間型質量分析装置。
【考案の詳細な説明】
【技術分野】
【０００１】
本考案は、リフレクトロンを備えた飛行時間型質量分析装置に関する。
【背景技術】
【０００２】
飛行時間型質量分析装置には同一の質量電化比でありながら様々な運動エネルギーを持った荷電粒子を時間軸上で収束させ、ほぼ同じ時間で検出器に到達させるためにしばしばリフレクトロン（リフレクター）を装備している（特許文献１参照）。
【０００３】
リフレクトロンはイオンを有効に反射する電場を構築するための電極とそれをあらかじめ定められた電位に保つための複数の抵抗器を有している。
【０００４】
イオンを反射する電場として単一の一様な電界強度を有するリフレクトロンや電界強度が２段の折れ線状にしたものが一般に構築されている。
【０００５】
リフレクトロンで構築された電場の電界強度分布は、同一の質量電化比の粒子の収束程度、すなわち、飛行時間型質量分析装置の測定分解能に影響を及ぼす。
【０００６】
均一な電界強度分布を得るためには均一な分圧抵抗器が必要となり、高価な精密抵抗器や市販の抵抗器の中から均一なものを選別して使用していた。
【０００７】
２段の折れ線状の電場を構築するためには２種類の抵抗値の分圧抵抗器、または２種類の電極間ギャップを得るためのスペーサ、あるいは２種類の電源が必要となる。より多段の電場を構築するためには、より多種類の抵抗値の分圧抵抗器、スペーサあるいは電源が必要となる。
【先行技術文献】
【特許文献】
【０００８】
【特許文献１】特開２００３−１５１４８７号公報
【考案の概要】
【考案が解決しようとする課題】
【０００９】
多段の電場を構築するためのリフレクトロンを実現するためには、高価で入手が困難な多種類の精密抵抗器や多種類のスペーサあるいは電源が必要となり、高価格で製作期間が長いという問題を有している。
【課題を解決するための手段】
【００１０】
本考案は上記課題を解決するもので、リフレクトロンに必要な電位を印加するための分圧抵抗器として、高価な精密抵抗器の代わりに、標準系列の固定抵抗器と可変抵抗器を直列に接続して構成したものである。
【００１１】
さらに、必要な印加電圧を得るための抵抗値をＲ、固定抵抗器の抵抗値をｒ、可変抵抗器の抵抗値をｒｖ、抵抗精度を固定抵抗器についてはｔ、可変抵抗器についてはｓとしたとき、ｒがＲ／（１＋ｔ）に等しいか、または小さい市販の標準系列の抵抗値の中から最も大きい抵抗値の固定抵抗器を採用し、ｒｖが（Ｒ−（１−ｔ）ｒ）／（１−ｓ）に等しいか、または大きい市販の可変抵抗器の中から最も小さい抵抗値の可変抵抗器を採用すれば可変抵抗器の寄与分を小さくできるので、より安定なリフレクトロンを装備した飛行時間型質量分析装置を実現できる。
【考案の効果】
【００１２】
本考案は以上説明した構造であるから、安価で入手しやすい市販の部品を搭載した高性能なリフレクトロンの実現により、安価で高性能な飛行時間型質量分析装置を供給できる。
【図面の簡単な説明】
【００１３】
【図１】本考案の概略構成を説明する図である。
【図２】本考案のリフレクトロンを説明する図である。
【考案を実施するための形態】
【００１４】
以下本考案を図面に示す実施例にしたがって詳細に説明する。図１は本考案のリフレクトロンを有する飛行時間型質量分析装置の概略の構成を示す図である。イオン源１１で生成されたイオンは、加速器１２において所定の加速電圧により運動エネルギーが与えられ、フライトチューブと呼ばれる空間に導入され、一定距離を飛行した後、リフレクトロン１に進入する。リフレクトロン１の内部には傾斜電界が形成されており、この傾斜電界によりイオンは、入射方向から僅かに傾いた方向に反射されイオンビーム２として表すようにフライトチューブを戻ってイオン検出器１３により検出される。この間の時間はイオンの質量に関係するので、飛行している時間を計測することでイオンの質量を測定することができる。
【００１５】
ここで、同一質量数のイオンであっても、大きい初期エネルギーを持つイオンはリフレクトロン１の奥まで進入するため、リフレクトロン１内での飛行時間は長くなる。一方、同一質量数でも小さい初期エネルギーを持つイオンはリフレクトロン１の入口近傍までしか進入しないため、リフレクトロン１内での飛行時間は短くなる。従って、リフレクトロン１における傾斜電界を適切に設定しておくことにより、これらの初期エネルギーの差異を補償して、同一質量数のイオンを同時にイオン検出器１３に到達するようにできる。図２は本考案のリフレクトロンを説明するための図である。図２に示すようにリフレクトロン１の各電極３に適切な電位を印加するための分圧抵抗器として固定抵抗器６と可変抵抗器７を直列に接続してリフレクトロンに適切な傾斜電界を設定できるようにしたもので、以下に実施例を説明する。また、抵抗器の表示抵抗値と実際の抵抗値との偏差であって抵抗器メーカが許容する最大値を表示抵抗値で除した値を抵抗精度と定義する。
【実施例１】
【００１６】
可変抵抗器の安定性は固定抵抗器のそれに劣るので安定な抵抗値を得るためには可変抵抗器の抵抗値をできるだけ小さくすることが望ましい。
【００１７】
必要な印加電圧を得るための抵抗値をＲ、固定抵抗器６の抵抗値をｒその抵抗精度をｔ、可変抵抗器７の抵抗値をｒｖその抵抗精度をｓとする。
【００１８】
固定抵抗器６は抵抗値ｒがＲ／（１＋ｔ）に等しいか、または小さい市販の標準系列の抵抗値の中から最も大きい抵抗値の固定抵抗器を採用する。
【００１９】
可変抵抗器７は抵抗値ｒｖが（Ｒ−（１−ｔ）ｒ）／（１−ｓ）に等しいか、または大きい市販の可変抵抗器の中から最も小さい抵抗値の可変抵抗器を採用する。
【００２０】
上記のように採用した標準系列の固定抵抗器６と可変抵抗器７を直列に接続したものをリフレクトロン電極電源５の電圧分圧抵抗器として必要な数だけ電極３に接続し、それぞれ必要な電界強度になるように可変抵抗器７を調節する。また、分圧抵抗器として固定抵抗器だけでなく可変抵抗器も使用するのでギャップ４を形成するスペーサ（図示しない）の誤差による電界強度の誤差も可変抵抗器７により補償できる。したがって、イオンビーム２を適切に反射するリフレクトロンを搭載した高性能な飛行時間型質量分析装置を実現できる。
【産業上の利用可能性】
【００２１】
本考案は、汎用技術と市販の部品の構成で実施でき、簡便に目的を達成でき、産業上利用可能なものである。
【符号の説明】
【００２２】
１  リフレクトロン
２  イオンビーム
３  電極
４  ギャップ
５  リフレクトロン電極電源
６  固定抵抗器
７  可変抵抗器
１１  イオン源
１２  加速器
１３  イオン検出器
【図１】
0003177836.tif 000003
【図２】
0003177836.tif 000004